(57)【要約】【課題】収納箱部の左側板と右側板とを、帯状包箱部の対峙部分により背後から補強できる両開き式箱を提供する。【解決手段】底板１１と前後左右の４枚の側板１２〜１５とを有する収納箱部１７と、長さ方向の両端部の左，右蓋板１９，２０を除いた、底板１１、左側板１４および右側板１５の各外面に一連に固着された横長な帯状包箱部１８とを備え、左，右蓋板１９，２０の各内面には、先端縁を突き合わせた状態で収納箱部１７の開口部ａに嵌め込まれる左，右側内層板３２，３４が各固着され、かつ閉蓋用突起３１と閉蓋用隙間３３とを突合せ状態で嵌入して閉蓋する両開き式箱１０である。【選択図】図１
0003228133.tif 000002
【実用新案登録請求の範囲】
【請求項１】
底板と前後左右の４枚の側板とを有するとともに、上面が開口して収納物を収納する収納箱部と、
長さ方向の両端部を除く部分が、前記底板、前記左側板および前記右側板の各外面に一連に固着され、かつ残った前記長さ方向の両端部が、前記収納箱部の上面の開口を塞ぐ左蓋板と右蓋板とからなる両開き蓋となった横長な帯状包箱部とを備えた両開き式箱であって、
前記左蓋板および前記右蓋板の各内面には、互いの先端縁を突き合わせた状態で前記収納箱部の開口部に嵌め込まれる左側内層板および右側内層板のうち、対応する方がそれぞれ固着され、
前記左蓋板および前記右蓋板のうち、何れか一方の先端部には閉蓋用突起が形成され、
前記左蓋板および前記右蓋板のうちの他方の先端部と、この他方のものに固着された前記左側内層板および前記右側内層板の何れかの先端部とのあいだには、前記閉蓋用突起が抜き差し可能に嵌入される閉蓋用隙間が形成されたことを特徴とする両開き式箱。
【請求項２】
前記左蓋板および前記右蓋板のうち、前記閉蓋用隙間が形成される方の先端部の外面には、パネル先部が前記閉蓋用突起の方向へ突出して、前記閉蓋用突起を前記閉蓋用隙間に挿入する際の挿入ガイドとなるとともに、閉蓋後は前記両開き蓋の蓋押さえとなる閉蓋ガイドパネルの基部が固着されたことを特徴とする請求項１に記載の両開き式箱。
【請求項３】
前記帯状包箱部は、全長にわたって均一な厚さのもので、
前記閉蓋用突起は、前記帯状包箱部の厚さの半分未満の厚さ分だけ、前記閉蓋用突起の外側全域を除去したもので、
前記閉蓋用隙間は、前記左蓋板および前記右蓋板のうち、前記閉蓋用隙間が形成される方の先端部の内側全域を、前記閉蓋用突起の厚さより前記閉蓋用隙間が狭くなるように除去することで、この除去された先端部と、前記左側内層板および前記右側内層板のうち、対応するものの先端部とのあいだに形成されたもので、
前記閉蓋ガイドパネルは、このパネル基部よりこのパネル先部の方の厚さを、前記閉蓋用隙間の間隔より前記閉蓋用突起の厚さが大きい分だけ厚くしたことを特徴とする請求項２に記載の両開き式箱。
【請求項４】
前記左蓋板および前記右蓋板は、それぞれ外板と内板とを貼り合わせた２層式のもので、
前記閉蓋用突起は、前記左蓋板および前記右蓋板のうち、この閉蓋用突起が形成される方の先端部の前記外板を切除して得られたもので、
前記閉蓋用隙間は、前記左蓋板および前記右蓋板のうち、前記閉蓋用隙間が形成される方の先端部の前記内板を切除して得られたものであることを特徴とする請求項３に記載の両開き式箱。
【請求項５】
前記閉蓋用突起および前記閉蓋用隙間の各形成領域は、前記左蓋板および前記右蓋板のうち、対応する方の先端部の全域又はその一部で、
前記閉蓋用突起および前記閉蓋用隙間の各形状は、矩形状、台形状、舌片状のうちの何れか１つであることを特徴とする請求項１〜請求項４のうち、何れか１項に記載の両開き式箱。
【考案の詳細な説明】
【技術分野】
【０００１】
本考案は、両開き式の蓋部が設けられた箱体である両開き式箱に関する。
【背景技術】
【０００２】
従来、両開き式の蓋部を有する箱体として、例えば、特許文献１に記載のものが知られている。
特許文献１の両開き式箱は、底板と左右の４枚の側板とを有するとともに、上面が開口して収納物を収納する収納箱部と、長さ方向の中間部のみが底板の外面に接着され、かつ長さ方向の両端部が、収納箱部の上面の開口を塞ぐ左蓋板と右蓋板とからなる両開き蓋となった横長な帯状包箱部とを備えたものであった。
【０００３】
このとき、左，右蓋板の一方の先端部には閉蓋用突起が形成され、また左，右蓋板の他方の端部には、この閉蓋用突起を挿入可能な閉蓋用隙間が形成されている。
これにより、特許文献１の従来箱は、左，右蓋板のうち、一方の先端部を他方の蓋板の先端部に挿入した状態で、収納箱部の開口部に蓋をすることができる両開き式箱を提供することができる。
また、収納箱部の左側板と右側板との長さ方向（箱幅方向）の中間部には、例えば収納箱部に入った書類などを両手で取り出し易いように、上辺より下辺が短い台形状をした大型の切欠部がそれぞれ形成されていた。
【先行技術文献】
【特許文献】
【０００４】
【特許文献１】実用新案登録第３１３４９３５号号公報
【考案の概要】
【考案が解決しようとする課題】
【０００５】
しかしながら、特許文献１の両開き式箱にあっては、上述したように収納箱部のうち、帯状包箱部を接着して補強された箇所は、底板のみであった。そのため、両手で両開き蓋を開閉する際には、帯状包箱部のうち、左側板や右側板と対峙する部分も、対応する蓋板に伴って起伏してしまう。すなわち、蓋を開閉操作する際に手が衝突し易い左側板や右側板には、何らの補強手段も講じられていなかった。
それだけでなく、これらの左側板や右側板には、各長さ方向の中間部に大型の切欠部が形成されていた。そのため、蓋を開閉操作する際に、上述した手がぶつかり易い左，右側板に生じる損傷は大きくなる傾向にあった。
【０００６】
本考案は、このような従来の問題点に艦がみなされたもので、左，右蓋板のうち、一方の先端部を他方の蓋板の先端部に挿入した封止状態で、収納箱部の開口部に蓋をすることができるとともに、収納箱部の左側板と右側板とを、帯状包箱部の対峙部分により背後からしっかりと補強することができる両開き式箱を提供することを目的としている。
【課題を解決するための手段】
【０００７】
請求項１に記載の本考案は、底板と前後左右の４枚の側板とを有するとともに、上面が開口して収納物を収納する収納箱部と、長さ方向の両端部を除く部分が、前記底板、前記左側板および前記右側板の各外面に一連に固着され、かつ残った前記長さ方向の両端部が、前記収納箱部の上面の開口を塞ぐ左蓋板と右蓋板とからなる両開き蓋となった横長な帯状包箱部とを備えた両開き式箱であって、前記左蓋板および前記右蓋板の各内面には、互いの先端縁を突き合わせた状態で前記収納箱部の開口部に嵌め込まれる左側内層板および右側内層板のうち、対応する方がそれぞれ固着され、前記左蓋板および前記右蓋板のうち、何れか一方の先端部には閉蓋用突起が形成され、前記左蓋板および前記右蓋板のうちの他方の先端部と、この他方のものに固着された前記左側内層板および前記右側内層板の何れかの先端部とのあいだには、前記閉蓋用突起が抜き差し可能に嵌入される閉蓋用隙間が形成されたことを特徴とする両開き式箱である。
【０００８】
両開き式箱（収納箱部および帯状包箱部）の材料は任意である。例えば、各種の紙材料、各種の合成樹脂材料、各種の金属材料などを採用することができる。このうち、紙材料の方が本考案の特徴が顕著となる。
紙材料としては、箱になったとき、所望の強度を発揮できるものであればよい。例えば、中心部がボール又は板紙で、その表面に化粧紙を接着したものでもよい。
【０００９】
両開き式箱の材料の厚さは、任意であるものの、素材の硬さ、可撓性、強度などの物性や箱の大きさなどにより異なる。材料が紙、特にボール紙の場合であって、箱のサイズが縦横２０ｃｍ〜３０ｃｍ、高さ５ｃｍ〜２０ｃｍで、かつ化粧品などが収まるものである場合、その厚さは１．５ｍｍ〜２．５ｍｍ程度が好ましい。
【００１０】
本考案においては、箱体のすべての部分を同じ材料で構成してもよいが、部分的に材料を変更してもよい。例えば、左，右側内層板を合成樹脂板とし、帯状包箱部をボール紙としてもよい。又は、その反対としてもよい。
【００１１】
収納物の種類は任意である。例えば、高級な酒類、電気製品、化粧品、装飾品、宝石類、各種のインテリア小物などを採用することができる。その他、ＣＤ、ＤＶＤ、ＭＯ、テープカセット、デジタルテープカセット、ビデオテープ、計算機、チョコレート、クッキー、せんべい、饅頭などの菓子類、さくらんぼのような果実類などでもよい。
収納箱部と帯状包箱部との固着方法は任意である。例えば、接着やホットメルトなどによる熱融着などを採用することができる。
帯状包箱部と固着される収納箱部の箇所は、底板だけでなく、左側板および右側板を含んでいる。
【００１２】
ここでいう「左側内層板および右側内層板が、互いの先端縁を突き合わせた状態で収納箱部の開口部に嵌め込まれる」とは、先端縁同士を突き合せた左側内層板と右側内層板との表面サイズおよび形状が、収納箱部の開口部の開口サイズおよび形状とほぼ同一であることを意味する。
閉蓋用突起と閉蓋用隙間との形状およびサイズは、閉蓋用突起が閉蓋用隙間に抜き差し可能に嵌入できれば任意である。例えば、閉蓋用突起の厚さや閉蓋用隙間の間隔を適宜変更することにより、これらの嵌合の具合を調整することができる。なお、閉蓋用突起の突出長さが長ければ、閉蓋用隙間に差し込みにくく、この突出長さが短ければ簡単に両開き蓋が開いてしまう。
【００１３】
また、請求項２に記載の本考案は、前記左蓋板および前記右蓋板のうち、前記閉蓋用隙間が形成される方の先端部の外面には、パネル先部が前記閉蓋用突起の方向へ突出して、前記閉蓋用突起を前記閉蓋用隙間に挿入する際の挿入ガイドとなるとともに、閉蓋後は前記両開き蓋の蓋押さえとなる閉蓋ガイドパネルの基部が固着されたことを特徴とする請求項１に記載の両開き式箱である。
【００１４】
閉蓋ガイドパネルの素材は硬質素材であれば任意である。例えば、各種の紙、各種の金属、各種の合成樹脂でもよい。
閉蓋ガイドパネルの形状は限定されない。例えば、四角形を含む三角形以上の多角形でも、円形、楕円形でもよい。
閉蓋ガイドパネルのサイズも任意である。例えば、このパネルが四角形の場合、縦横ともに左蓋板（右蓋板）の先端縁の長さの４分の１〜２分の１が好ましい。４分の１未満では、閉蓋ガイドパネルが小さ過ぎて、閉蓋時に閉蓋用突起を閉蓋用隙間に誘導する際に、閉蓋用突起がフラつき易い。また、２分の１を超えれば、閉蓋ガイドパネルが大き過ぎて、両開き蓋の開閉操作がしにくい。
【００１５】
具体的には、各蓋板の先端の長さが２０ｃｍの場合、閉蓋ガイドパネルの縦横の長さは、５ｃｍ〜１０ｃｍ、好ましくは約６．７ｍｍである。
特に好ましい閉蓋ガイドパネルの縦横のサイズは、左蓋板の先端縁の長さの約３分の１である。
閉蓋ガイドパネルの縦と横とは同一長さでも、異なる長さでもよい。
また、閉蓋ガイドパネルの厚さは、全長にわたって同一厚さでもよいし、部分的に異なる厚さでもよい。
【００１６】
請求項３に記載の本考案は、前記帯状包箱部は、全長にわたって均一な厚さのもので、前記閉蓋用突起は、前記帯状包箱部の厚さの半分未満の厚さ分だけ、前記閉蓋用突起の外側全域を除去したもので、前記閉蓋用隙間は、前記左蓋板および前記右蓋板のうち、前記閉蓋用隙間が形成される方の先端部の内側全域を、前記閉蓋用突起の厚さより前記閉蓋用隙間が狭くなるように除去することで、この除去された先端部と、前記左側内層板および前記右側内層板のうち、対応するものの先端部とのあいだに形成されたもので、前記閉蓋ガイドパネルは、このパネル基部よりこのパネル先部の方の厚さを、前記閉蓋用隙間の間隔より前記閉蓋用突起の厚さが大きい分だけ厚くしたことを特徴とする請求項１又は請求項２に記載の両開き式箱である。
【００１７】
閉蓋用突起の外側全域を除去する厚さは、帯状包箱部の厚さの半分未満であれば限定されない。例えば、帯状包箱部の厚さの２０％〜４５％でもよい。
ここでいう「パネル基部よりこのパネル先部の方の厚さを、閉蓋用隙間の間隔より閉蓋用突起の厚さが大きい分だけ厚くした」とは、閉蓋ガイドパネルの基部の厚さより、閉蓋ガイドパネルの先部の厚さの方を、閉蓋用隙間の間隔に比べて閉蓋用突起の厚さの方が大きくなっている分（長さ分、幅分、厚さ分）だけ、厚くすることを意味する。
【００１８】
請求項４に記載の本考案は、前記左蓋板および前記右蓋板は、それぞれ外板と内板とを貼り合わせた２層式のもので、前記閉蓋用突起は、前記左蓋板および前記右蓋板のうち、この閉蓋用突起が形成される方の先端部の前記外板を切除して得られたもので、前記閉蓋用隙間は、前記左蓋板および前記右蓋板のうち、前記閉蓋用隙間が形成される方の先端部の前記内板を切除して得られたものであることを特徴とする請求項３に記載の両開き式箱である。
【００１９】
外板と内板との材料は任意である。例えば、各種の紙材料、各種の合成樹脂材料、各種の金属材料でもよい。
また、外板と内板とは同一材料でもよいし、異なる材料でもよい。
【００２０】
請求項５に記載の本考案は、前記閉蓋用突起および前記閉蓋用隙間の各形成領域は、前記左蓋板および前記右蓋板のうち、対応する方の先端部の全域又はその一部で、前記閉蓋用突起および前記閉蓋用隙間の各形状は、矩形状、台形状、舌片状のうちの何れか１つであることを特徴とする請求項１〜請求項４のうち、何れか１項に記載の両開き式箱である。
【００２１】
閉蓋用突起が形成される領域は、これが形成される“左蓋板の先端”又は“右蓋板の先端部”の全域でも、その一部でもよい。
一方、閉蓋用隙間が形成される領域は、これが形成される“左蓋板の先端”又は“右蓋板の先端部”の全域でも、その一部でもよい。
閉蓋用突起および閉蓋用隙間の各形状は、それぞれ矩形状でも台形状でもよい。又は、舌片状でもよい。
【考案の効果】
【００２２】
請求項１に記載の考案によれば、閉蓋時、左，右蓋板のうち、一方の蓋板の閉蓋用突起を他方の蓋板の閉蓋用隙間に抜き差し可能に嵌入した状態で、収納箱部の上面開口を閉蓋することができる。
また、この閉蓋時には、収納箱部の開口部に、左側内層板と右側内層板とが、見かけ上、互いの先端縁を突き合わせた大判な１枚板の状態で嵌め込まれるため、両開き蓋による収納箱部の開口部の閉蓋状態がしっかりと維持される。そのため、仮に閉蓋した両開き蓋に、手や障害物などが衝突したり、空の両開き式箱を逆さにしても、容易には開蓋しない。
また、従前の両開き式箱の蓋開閉に使用されていたマグネットも不要となる。
【００２３】
また、収納箱部のうち、帯状包箱部の対峙部分を固着して補強された箇所は、底板だけでなく、左，右側板も含まれている。そのため、従来箱のように左，右側板と対峙する帯状包箱部の部分が、左，右蓋板の開閉動作に伴って起伏することはなく、左，右側板は帯状包箱部の各対峙部分により、外方からしっかりと補強されている。
その結果、両開き蓋の開閉時、左，右蓋板を動かす手が左，右側板に衝突しても、これらは損傷しにくい。
【００２４】
特に、請求項２に記載の本考案によれば、左蓋板および右蓋板のうち、閉蓋用隙間が形成される方の先端部の外面に、閉蓋ガイドパネルの基部を固着したため、閉蓋時、閉閉蓋用突起を閉蓋用隙間に挿入する際に、この閉蓋ガイドパネルが挿入ガイドとなるとともに、閉蓋後は、これが両開き蓋の蓋押さえとなる。
【００２５】
また、請求項３に記載の本考案によれば、両開き蓋にあっては、閉蓋用突起の外側全域を、帯状包箱部の厚さの半分未満の厚さ分だけ除去する一方、閉蓋用隙間が形成される蓋板の先端部の内側全域を、閉蓋用突起の厚さより閉蓋用隙間が狭くなるように除去している。
【００２６】
したがって、閉蓋用隙間に閉蓋用突起を嵌入した際には、閉蓋用隙間側の蓋板の外面の方が閉蓋用突起側の蓋板の外面より高くなる。そのため、仮にパネル全体が均一厚さの閉蓋ガイドパネルを用いたときには、この段差が障害となって、閉閉蓋用突起を閉蓋用隙間にスムーズに嵌入できなくなるおそれがある。しかも、この段差部がパネル折りの定規となり、閉蓋ガイドパネルの中央部分に、パネルを横断する折れ筋が入ってしまうおそれもある。この折れ筋は、閉蓋ガイドパネルが紙製の場合に顕著となる。
【００２７】
これに対して、本考案の両開き式箱では、このように閉蓋ガイドパネルの基部よりその先部の厚さの方を、「閉蓋用突起と閉蓋用隙間の上側形成板とを重ねた厚さと、閉蓋用突起側の蓋板（収納箱部）の厚さとの差分」だけ厚くしたため、閉蓋時、閉蓋ガイドパネルをガイドにして、閉閉蓋用突起をスムーズに閉蓋用隙間へ嵌入することができるとともに、この段差部を原因とした、閉蓋ガイドパネルの中央部を横断する折れ筋が発生するおそれもない。
【００２８】
さらに、請求項４に記載の本考案によれば、閉蓋用突起は、これが形成される蓋板の先端部の外板を除去して形成する一方、閉蓋用隙間は、これが形成される蓋板の先端部の内板を除去して形成する。
これにより、設定サイズの閉蓋用突起および閉蓋用隙間を、それぞれ簡単に形成することができる。
【００２９】
さらにまた、請求項５に記載の本考案によれば、蓋用突起および閉蓋用隙間の左，右蓋板における各形成領域は、例えば、両開き式箱の素材、サイズや、収納物のサイズや重さなどの条件に応じて、適宜変更することができる。
また、閉蓋用突起および閉蓋用隙間の各形状も、例えば両開き式箱の素材、サイズや、収納物のサイズや重さなどの条件に応じて、矩形状、台形状、舌片状のうちの何れかを使用することができる。
【図面の簡単な説明】
【００３０】
【図１】本考案の実施例1に係る両開き式箱の開蓋状態を示す斜視図である。
【図２】本考案の実施例１に係る両開き式箱の閉蓋状態を示す斜視図である。
【図３】本考案の実施例１に係る両開き式箱の閉蓋開始状態を示す斜視図である。
【図４】本考案の実施例１に係る両開き式箱の閉蓋状態の要部拡大正面図である。
【図５】本考案の実施例２に係る両開き式箱の閉蓋状態を示す斜視図である。
【図６】（ａ）は、本考案の実施例２に係る両開き式箱の閉蓋途中の状態の要部拡大正面図である。（ｂ）は、本考案の実施例２に係る両開き式箱の閉蓋状態の要部拡大正面図である。
【考案を実施するための形態】
【００３１】
以下、この考案の実施例を具体的に説明する。説明の都合上、Ｘ１方向を両開き式箱の前方向、Ｘ２方向を両開き式箱の後方向、Ｙ１方向を両開き式箱の左方向、Ｙ２方向を両開き式箱の右方向、Ｚ１方向を両開き式箱の下方向、Ｚ２方向を両開き式箱の上方向とする。なお、明細書中の全ての方向は、図１中の方向に基づくものとする。
【実施例】
【００３２】
図１において、１０は本考案の実施例１に係る両開き式箱で、この両開き式箱１０は、底板１１、前側板１２、後側板１３、左側板１４および右側板１５を有するとともに、上面が開口して化粧品（収納物）１６を収納する収納箱部１７と、Ｙ１−Ｙ２方向（帯状包箱部１８の長さ方向）の両端部を除く部分が、底板１１、左側板１４および右側板１５の各外面に一連に接着（固着）され、かつ残ったＹ１−Ｙ２方向の両端部が、収納箱部１７の上面の開口部ａを塞ぐ左蓋板１９と右蓋板２０とからなる両開き蓋２１となった横長な帯状包箱部１８と、収納箱部１７の底部に嵌め込まれて、中央部に化粧品１６の装着ポケット２２が形成された内箱２３とを備えている。
【００３３】
以下、これらの部品を具体的に説明する。
収納箱部１７は、化粧紙２５が全面に貼られた厚さ３ｍｍの段ボール製で、上面が開口した角形容器である。収納箱部１７の内寸法は、長さ（Ｘ１−Ｘ２方向の長さ）が２５０ｍｍ、幅（Ｙ１−Ｙ２方向の長さ）が２３７ｍｍ、深さ（Ｚ１−Ｚ２方向の長さ）が８７ｍｍである。収納箱部１７の外寸法は、長さが２５６ｍｍ、幅が２４３ｍｍ、深さが９０ｍｍである。
【００３４】
一方、帯状包箱部１８は、化粧紙２５が全面に貼られた厚さ２．５ｍｍの段ボール製のもので、この段ボールは、各厚さ１ｍｍのボール紙製の外板２６と内板２７とを貼り合わせて、厚さ０．２５ｍｍの化粧紙２５により表裏面を含む全体を被覆した合板である。
帯状包箱部１８は、Ｘ１−Ｘ２方向の長さが２６０ｍｍ、Ｙ１−Ｙ２方向の長さが７０１ｍｍの横長で大判の帯状板である。
【００３５】
この帯状包箱部１８は、底板１１の外面全域に接着される底カバー板（サイズ：２６０ｍｍ×２５０ｍｍ）２８と、左側板１４の外面全域に接着される左側カバー板（サイズ：９３ｍｍ×２６０ｍｍ）２９と、右側板１５の外面全域に接着される右側カバー板（サイズ：９３ｍｍ×２６０ｍｍ）３０と、左蓋板（サイズ：１２５ｍｍ×２６０ｍｍ）１９と、右蓋板（サイズ：１２５ｍｍ×２６０ｍｍ）２０とが、それぞれ折り目ｂを介して連結されたものである。
【００３６】
また、このうちの右蓋板２０の先端には、Ｘ１−Ｘ２方向の全長にかけて、Ｙ２方向へ１５ｍｍだけ延長した細長い閉蓋用突起３１が一体的に形成されている。この閉蓋用突起３１は、右蓋板２０の１５ｍｍの延長部のうち、“帯状包箱部１８の厚さ（２．５ｍｍ）の半分未満の厚さ”となる、厚さ１ｍｍの外板２６の部分をカット（除去）し、その後、厚さ０．２５ｍｍの化粧紙２５により、その表裏面を含む全体を被覆したものである。したがって、閉蓋用突起３１の厚さは１．５ｍｍとなる。
【００３７】
左蓋板１９の内面には、Ｘ１−Ｘ２方向の長さが２５０ｍｍ、Ｙ１−Ｙ２方向の長さが１２０ｍｍ、厚さが２．５ｍｍの縦長な左側内層板３２が接着されている。このとき、左蓋板１９と左側内層板３２とは、先端縁（Ｙ１側の端縁）同士が一致されているとともに、各Ｘ１側の端縁のあいだと各Ｘ２側の端縁のあいだとに、それぞれ５ｍｍの間隔をあけて接着されている。
【００３８】
また、左蓋板１９の先端部（Ｙ１側の端部）と、左側内層板３２の先端部のあいだには、閉蓋時に、閉蓋用突起３１が着脱可能に嵌入される閉蓋用隙間３３が形成されている。この閉蓋用隙間３３は、左蓋板１９のＹ２側の端縁からＹ１方向へ約１５ｍｍの領域で、“帯状包箱部１８の厚さ（２．５ｍｍ）の半分未満の厚さ”となる、厚さ１ｍｍの内板２７の部分を、Ｘ１−Ｘ２方向の全長にわたってカット（除去）し、その後、厚さ０．２５ｍｍの化粧紙２５により、その表裏面を含む全体を被覆したものである。したがって、閉蓋用隙間３３の間隔は１．２５ｍｍとなる。
【００３９】
また、右蓋板２０の内面にも、左側内層板３２と同一サイズの右側内層板３４が、左側内層板３２を左蓋板１９の内面に接着したときと同様の位置に接着されている。これにより、前記閉蓋用突起３１は、見かけ上、互いに重なり合った右蓋板２０と右側内層板３４の先端縁（Ｙ２側の端縁）から１５ｍｍだけ突出することとなる。
【００４０】
内箱２３は、厚さ０．５ｍｍのケント紙製のもので、その天板の中央部にＸ１−Ｘ２方向へ長い大判な矩形状の装着ポケット２２が形成されている。この装着ポケット２２から化粧品１６の化粧ケースの上部だけを突出させた状態で、化粧品１６が着脱自在に装着される。
また、左，右側内層板３４の各外面などの両開き式箱１０の露出面は、例えば、商品（化粧品１６）の広告や使用説明などの掲載面としてもよい。
【００４１】
次に、図１〜図４を参照して、本考案の実施例１に係る両開き式箱１０の使い方について説明する。
図１に示すように、閉蓋時には、まず化粧品１６を内箱２３の装着ポケット２２に装着する。その後、両手で左，右蓋板１９，２０を箱内方へそれぞれ回動して行く。これにより、収納箱部１７の開口部ａの近くで、右蓋板２０の厚さ１．５ｍｍの閉蓋用突起３１の先端が、左蓋板１９の先端部の幅１．２５ｍｍの閉蓋用隙間３３に差し込まれる（図２を参照）。
【００４２】
その後も、左，右蓋板１９，２０の回動を進めることで、図３および図４に示すように、最終的には閉蓋用突起３１が閉蓋用隙間３３に完全に嵌入されるとともに、収納箱部１７の開口部ａに、左側内層板３２と右側内層板３４とが、見かけ上、互いの先端縁を突き合わせた大判な１枚板の状態で嵌め込まれる。
これにより、両開き蓋２１による収納箱部１７の開口部ａの閉蓋状態が、ガタつきなくしっかりと維持され、一方の蓋板２０の閉蓋用突起３１を他方の蓋板１９の閉蓋用隙間３３に抜き差し可能に嵌入した状態で、収納箱部１７の上面の開口部ａを閉蓋することができる。
また、両開き蓋２１の開蓋時には、この作業を反対に行えばよい。
【００４３】
その結果、従前の両開き式箱１０において、閉蓋時に使用されていた図示しないマグネットが不要になるとともに、仮に、手や障害物などが閉蓋した両開き蓋２１に衝突したり、空の両開き式箱１０を逆さにしても、容易には開蓋しない。
なお、この閉蓋時には、厚さが１．５ｍｍの閉蓋用突起３１を、幅が１．２５ｍｍの閉蓋用隙間３３に強引に嵌入するため、閉蓋時、右蓋板２０より左蓋板１９の方が盛り上がっている。なお、詳細は実施例２において後述する。
【００４４】
また、収納箱部１７のうち、帯状包箱部１８の対峙部分を接着して補強された箇所は、底板１１だけでなく、左，右側板１４，１５も含まれている。そのため、従来箱のように左，右側板１４，１５と対峙する帯状包箱部１８の部分（左，右カバー板２９，３０）が、左，右蓋板１９，２０の開閉動作に伴って起伏することはなく、左，右側板１４，１５は帯状包箱部１８の左，右カバー板２９，３０により、外方からしっかりと補強することができる。
その結果、両開き蓋２１の開閉時、左，右蓋板１９，２０を動かす手が左，右側板１４，１５に衝突しても、これらは損傷しにくい。
【００４５】
さらに、閉蓋用突起３１は、これが形成される右蓋板２０の先端部の外板２６を除去して形成する一方、閉蓋用隙間３３は、これが形成される左蓋板１９の先端部の内板２７を除去して形成している。
そのため、設定サイズの閉蓋用突起３１および閉蓋用隙間３３を、それぞれ簡単に形成することができる。
【００４６】
さらにまた、閉蓋用突起３１および閉蓋用隙間３３の左，右蓋板１９，２０における各形成領域は、例えば、両開き式箱１０の素材、サイズや、収納物のサイズや重さなどの条件に応じて、適宜変更することができる。
また、閉蓋用突起３１および閉蓋用隙間３３の各形状も、例えば両開き式箱１０の素材、サイズや、収納物のサイズや重さなどの条件に応じて、例えば矩形状、台形状、舌片状のうちの何れかを使用することができる。
特に、この両開き式箱１０は、贈答用の箱として好適である。
【００４７】
次に、図５および図６を参照して、本考案の実施例２に係る両開き式箱を説明する。
図５に示すように、実施例２の両開き式箱１０Ａの特徴は、左蓋板１９の先端部の外面のうち、Ｘ１−Ｘ２方向の中間部に、パネルの先部（パネル先側の半分）３６ａが閉蓋用突起３１の方向へ突出して、閉蓋用突起３１を閉蓋用隙間３３に挿入する際の挿入ガイドとなるとともに、閉蓋後は両開き蓋２１の蓋押さえとなる閉蓋ガイドパネル３６の基部（基端側の半分）３６ｂを接着した点である。
【００４８】
閉蓋ガイドパネル３６は、一辺が９０ｍｍの正方形のボール紙である。
閉蓋ガイドパネル３６は、左蓋板１９に接着された基部３６ｂに比べて、右蓋板２０の外面に当接する先部３６ａの方の厚さを、閉蓋用隙間３３の間隔より閉蓋用突起３１の厚さが大きい分（０．２５ｍｍ）と、左蓋板１９の外板２６の外面に貼着された化粧紙２５の厚さ分（０．２５ｍｍ）とを加算した厚さｔの分（０．５ｍｍ）だけ厚くしている。
【００４９】
すなわち、各表裏面が化粧紙２５により覆われた各厚さ１．５ｍｍの左蓋板１９の外板２６と右蓋板２０の内板２７とを２枚重ねしたものが、閉蓋状態の左蓋板１９の先端部の厚さ（３ｍｍ）となる一方、厚さが各１ｍｍの内，外板２６からなる合板の表裏面を化粧紙２５により覆った右蓋板２０の厚さは、２．５ｍｍとなる。これにより、左，右蓋板１９，２０に生じた段差は０．５ｍｍとなる。
【００５０】
このように、両開き蓋２１にあっては、閉蓋用突起３１の外側全域を、帯状包箱部１８の厚さの半分未満の厚さ分だけ除去する一方、閉蓋用隙間３３が形成される左蓋板１９の先端部の内側全域を、閉蓋用突起３１の厚さより閉蓋用隙間３３が狭くなるように除去している。
【００５１】
したがって、閉蓋用隙間３３に閉蓋用突起３１を嵌入した際には、閉蓋用隙間３３側の左蓋板１９の外面の方が閉蓋用突起３１側の右蓋板２０の外面より高くなる。そのため、仮にパネル全体が均一厚さの閉蓋ガイドパネル３６を採用したときには、この段差が障害となって、閉閉蓋用突起３１を閉蓋用隙間３３にスムーズに嵌入できなくなるおそれがある。しかも、この段差部がパネル折りの定規となり、閉蓋ガイドパネル３６の中央部分に、パネルを横断する折れ筋（図示せず）が入ってしまうおそれもある。この折れ筋は、実施例２のように閉蓋ガイドパネル３６が紙製の場合に顕著となる。
【００５２】
これに対して、実施例２の両開き式箱１０では、このように閉蓋ガイドパネル３６の基部３６ｂよりその先部３６ａの厚さの方を、「閉蓋用突起３１の厚さと閉蓋用隙間３３の外板（上側形成板）２６とを重ねた厚さと、右蓋板２０（収納箱部１７）の厚さとの差分」だけ厚くしたため、閉蓋時、閉蓋ガイドパネル３６をガイドにして、閉閉蓋用突起３１をスムーズに閉蓋用隙間３３へ嵌入することができる。しかも、この段差部を原因とした、閉蓋ガイドパネル３６の中央部を横断する折れ筋が発生するおそれもない。
また、両開き蓋２１の開蓋時には、閉蓋ガイドパネル３６の先部を摘まんで左蓋板１９を上方回動すれば、両開き蓋２１の開蓋がスムーズとなる。
その他の構成、作用および効果は、実施例１と略同じであるため、説明を省略する。
【産業上の利用可能性】
【００５３】
この考案は、両開き蓋を有する両開き式箱として有用な技術である。
【符号の説明】
【００５４】
１０，１０Ａ  両開き式箱
１１  底板
１２  前側板
１３  後側板
１４  左側板
１５  右側板
１６  化粧品（収納物）
１７  収納箱部
１８  帯状包箱部
１９  左蓋板
２０  右蓋板
２１  両開き蓋
３１  閉蓋用突起
３２  左側内層板
３３  閉蓋用隙間
３４  右側内層板
３６  閉蓋ガイドパネル
２６  外板
２７  内板
ａ  開口部
ｔ  厚さ
【図１】
0003228133.tif 000003
【図２】
0003228133.tif 000004
【図３】
0003228133.tif 000005
【図４】
0003228133.tif 000006
【図５】
0003228133.tif 000007
【図６】
0003228133.tif 000008